(57)【要約】【課題】本発明は、タンデム型カラー印刷装置において、安価で処理速度の低下を引き起こさない画像データの圧縮・伸長方式を提供する事を目的とする。【解決手段】上記課題を解決するために、印刷すべきｎ（ｎ＝２、３、４・・・）色のラスタデータに対して圧縮処理を行い、圧縮データをメモリへ格納した後に、前記圧縮データを前記メモリから読み出して伸長処理を行い、印刷エンジン部にビデオ信号を出力するタンデム型カラー印刷装置であって、ｎ色の画像形成器の配置に起因するｎ色の転写像間距離を計測する手段と、計測された距離をもとに同時刻に印字すべき最大ｎ色のデータを１ラインずつ順次纏めながら前記圧縮処理を行う構成とした。【選択図】図６
2007036340.tif 000002
【特許請求の範囲】
【請求項１】
タンデム型カラーページプリンタまたはタンデム型カラー複写機において、印刷すべきｎ（ｎ＝２、３、４・・・）色のラスタデータに対して圧縮処理を行い、圧縮データをメモリへ格納した後に、前記圧縮データを前記メモリから読み出して伸長処理を行い、印刷エンジン部にビデオ信号を出力するタンデム型カラー印刷装置であって、ｎ色の画像形成器の配置に起因するｎ色の転写像間距離を計測する手段と、計測された距離をもとに同時刻に印字すべき最大ｎ色のデータを１ラインずつ順次纏めながら前記圧縮処理を行う事を特徴とするタンデム型カラー印刷装置。
【請求項２】
タンデム型カラーページプリンタまたはタンデム型カラー複写機において、印刷すべきｎ（ｎ＝２、３、４・・・）色のラスタデータに対して圧縮処理を行い、圧縮データをメモリへ格納した後に、前記圧縮データを前記メモリから読み出して伸長処理を行い、印刷エンジン部にビデオ信号を出力するタンデム型カラー印刷装置であって、ｎ色の画像形成器の配置に起因するｎ色の転写像間距離を計測する手段と、計測された距離をもとに同時刻に印字すべき最大ｎ色のデータを１ラインずつ順次纏め、さらにその１ラインを走査方向にｍ（ｍ＝２，３，４・・・）分割し、分割単位でｎ色のデータを纏めなおして圧縮を行う事を特徴とするタンデム型カラー印刷装置。
【請求項３】
タンデム型カラーページプリンタまたはタンデム型カラー複写機において、印刷すべきｎ（ｎ＝２、３、４・・・）色のラスタデータに対して圧縮処理を行い、圧縮データをメモリへ格納した後に、前記圧縮データを前記メモリから読み出して伸長処理を行い、印刷エンジン部にビデオ信号を出力するデータ圧縮・伸長方法であって、
ｎ色の画像形成器の配置に起因するｎ色の転写像間距離を計測する手段と、計測された距離をもとに同時刻に印字すべき最大ｎ色のデータを１ラインずつ順次纏めながら前記圧縮処理を行う事を特徴とするデータ圧縮・伸長方法。
【請求項４】
タンデム型カラーページプリンタまたはタンデム型カラー複写機において、印刷すべきｎ（ｎ＝２、３、４・・・）色のラスタデータに対して圧縮処理を行い、圧縮データをメモリへ格納した後に、前記圧縮データを前記メモリから読み出して伸長処理を行い、印刷エンジン部にビデオ信号を出力するデータ圧縮・伸長方法であって、
ｎ色の画像形成器の配置に起因するｎ色の転写像間距離を計測する手段と、計測された距離をもとに同時刻に印字すべき最大ｎ色のデータを１ラインずつ順次纏め、さらにその１ラインを走査方向にｍ（ｍ＝２，３，４・・・）分割し、分割単位でｎ色のデータを纏めなおして圧縮を行う事を特徴とするデータ圧縮・伸長方法。
【発明の詳細な説明】
【技術分野】
【０００１】
本発明は、カラーのレーザープリンタ，ＬＥＤプリンタ等のページプリンタやカラー複写機およびカラーマルチファンクションプリンタにおけるデータ圧縮・伸長方法、およびそれを実装したカラープリンタやカラー複写機やカラーマルチファンクションプリンタに関するものである。
【背景技術】
【０００２】
図８は、タンデム型カラー印刷装置の外部接続を示す図である。電子写真方式を採用したプリンタで印刷を行う場合のデータの流れは、図８に示すごとくホストコンピュータ３０（ＣＡＤ、ワークステーション、マルチファンクションプリンタの画像読取部およびディジタルカメラなども考えられるが図示せず）により作成された印刷データに対してインターフェース手段を通じてプリンタ３１が受信し画像形成を行うことによって実行される。ここで、複写機やマルチファンクションなどの機器についても、データ処理や画像形成においてはプリンタと類似点が多いため、以下、代表としてプリンタの構成について説明する。
【０００３】
プリンタ３１の中の構成をさらに説明すると、特許文献１に記載されているように、コントローラ部１００とエンジン部２００で構成されており、コントローラ部１００から送られてきたラスタデータに従いエンジン部２００で潜像することにより画像形成を実行する。
【０００４】
図９は、従来例におけるコントローラ部の構成図である。コントローラ部１００は図９に処理の流れを示すように、まずはプリント言語やビットマップデータ、またはそれらが混在したデータとして受信部１０１にて印字データを受信する。プリント言語として入力された印字データは図９中の（ａ）の方向へデータが流れインタプリタ部１０２にて言語の翻訳を行い、ラスタライズ部１０３にてエンジン部が画像形成するためのラスタデータに変換を行う。ここで、Ｃ，Ｍ，Ｙ，Ｋ４色のラスタデータ容量を考えると、解像度が６００ｄｐｉで印刷用紙がＡ３サイズ，階調数２値とした場合約３２ＭＢｙｔｅとなる。さらに、解像度を高くしたり、あるいは複数ページを一度にラスタライズしようとすると、ラスタデータの容量が膨大になり一時的に保存する大容量のメモリが必要となってしまう。そこで、一般にはラスタデータを圧縮部１０４にてデータ容量を削減する手法が用いられている。圧縮を行ったデータはメモリ１０５に一旦蓄えられ、エンジン部２００に出力する際に伸長部１０６にて圧縮データをラスタデータに復元し、データ転送部１０７を通じてエンジン部２００に送られる。ここで、ホストコンピュータ３０でラスタライズ処理まで実行したデータを受信する場合は図９（ｂ）または図９（ｃ）のデータパスを通るし、カラー複写機やカラーマルチファンクションプリンタにて、コピー画像処理（フィルタ処理や色変換処理や印刷ガンマ補正など）が施されていないデータを受信した場合は、図９（ｄ）のデータパスを通るが、いずれの場合も、一旦はメモリ１０５へ圧縮データを蓄積する点に於いては同じである。
【０００５】
一方、図１０は、従来例におけるエンジン部の構成図である。図１０において、１ａ〜１ｄは画像形成ステーション、２ａ〜２ｄは感光体、３ａ〜３ｄは帯電器、４ａ〜４ｄは現像器、５ａ〜５ｄはクリーニング器、６ａ〜６ｄは露光器、８ａ〜８ｄは転写器、９ａ〜９ｄは露光光線、１０，１１は支持ローラ、１２は像担持体としての中間転写ベルト、１３ａ〜１３ｄはラスタデータ受信部、１６は給紙カセット、１７はシート材、１８は給紙ローラ、１９はシート材転写ローラ、２０は定着器である。図１０に示すように画像形成ステーション１ａ〜１ｄを複数備えて、シアン像、マゼンタ像、イエロー像、好ましくはブラック像の各色像を像担持体１２に形成し、担持体１２上の各像を転写位置にてシート材１７に重ねて転写することによりフルカラー画像を形成するタンデム方式のエンジン部が提案されている。かかるタンデム方式のエンジン部は各色ごとにそれぞれの画像形成部を有するため、高速化に有利である。
【０００６】
上述のタンデム型のエンジン部２００による画像形成においては、図１１に示すように画像形成ステーション１ａ〜１ｄの配置に起因する転写位置の差が生じており、この差を吸収するために各色の印刷のタイミングを意図的にずらす事が行なわれる。すなわち、図１１の例のように画像形成ステーション１ａ，１ｂ，１ｃ，１ｄをそれぞれイエロー，マゼンタ，シアン，ブラックの画像形成ステーションとし、転写ベルト１２が左回りに回転する様に設定されているとすると、最初に画像形成・転写する画像はブラックであり、次いでシアン，マゼンタ，イエローとすることにより転写位置の差を補正する。図１１は印刷途中の状態を示しているが、各色トナー像はつぶし部が転写済で白抜きの点線枠は未だ印刷していない画像を表現している。ここでブラック−シアン間の転写距離をｄ１，シアン−マゼンタ間の転写距離をｄ２，マゼンタ−イエロー間の転写距離をｄ３とすると、コントローラ部１００における伸長後のラスタデータ出力は、図１２に示す様に、時刻ｔの時点ではブラックの画像データは殆ど送信済み（図中、印刷済みと記された部分の画像データがエンジン部に送信済みである事を模式的に表現している）の状態だが、イエローの画像データはデータ送信し始めたばかりといったデータ送信の時間差が発生する。
【０００７】
ところで、一般に印刷画像データの圧縮としては、ＪＢＩＧやＭＨ，ＭＭＲ，ＬＺ系の可逆の可変長圧縮や、ＪＰＥＧのような非可逆な可変長圧縮が用いられる事が多い。このような可変長圧縮を用いて、ページまたはページを複数分割したバンド単位で色毎に圧縮されデータが保存される。ところが、圧縮データは可変長圧縮されたデータであるため、各色の任意のデータ位置から画像データを伸長し出力することが出来ない。そのため図１３に示すように伸長したページまたはバンド単位の伸長データを一時保存するメモリを必要とする構成や、図１４に示すように、一旦伸長したデータをメモリへ書き戻し一時保存する構成が考えられる。または図１５に示す構成例のように伸長器を色毎に独立に持つ構成が考えられる。ここで、５０はインターフェース、５１はＣＰＵ、５２はメモリ、５３は圧縮器、５４は伸長器、５６は伸長データ保持メモリを表している。
【０００８】
これらの構成による動作説明は、図１５の構成を代表として行う。図１６は図１５の構成を元にしたタンデム型カラー印刷装置を表す。プリントデータを例にとると、インターフェース５０を介して受信したプリントデータを、ＣＰＵ５１がインタプリタ処理、ラスタライズ処理を行い、圧縮器５３によりラスタデータを圧縮しメモリ５２に一時保存する。ここでラスタライズ処理および圧縮器５０の扱うデータは、エンジン部に内在する画像形成ステーションの色数に相当し、図１６ではブラック、シアン、マゼンタ、イエローの４色のデータを扱うため、４色の圧縮データをメモリ５２の中に一時保存することになる。１ページ以上の圧縮データが生成されたら、エンジンを起動し、４色の圧縮データを夫々４色の伸長器で独立にデータ伸長動作を行ながらエンジン部へ伸長データを送信し印刷を行うといった動作になる。
【０００９】
図１３および図１４に示すコントローラ部の構成においても、図１６の上部のコントローラ部だけが入れ替わる構成なので特に図示しないが、図１３に示すコントローラの構成であれば、伸長器５４にて１ページ分だけ伸長したデータを伸長データ保持メモリ５６に保存したあと、その伸長データ保持メモリ５６から４色の伸長済みデータをエンジン部へ出力することにより印刷動作を行なうといった動作となる。また図１４に示すコントローラの構成であれば、伸長器５４にて１ページ分だけ伸長したデータをメモリ５２に書き戻し、その４色の伸長済みデータをメモリ５４からエンジン部へ出力する事により印刷を行うといった動作となる。
【特許文献１】特開２００２−１３７４５５号公報
【発明の開示】
【発明が解決しようとする課題】
【００１０】
上記の図１３に示す構成では、伸長データの保存用のメモリが新たに必要となる。また図１４に示す構成では、新たにメモリを追加する必要はないが、伸長データをメモリに読み書きする際に発生するメモリアクセスがデータ処理のスループットを著しく低下させてしまうといった欠点がある。また図１５および図１６に示す構成では、色毎に伸長器が必要となるので、Ｃ，Ｍ，Ｙ，Ｋの４色印刷を行う場合は伸長器およびデータ転送ＤＭＡの回路が４倍必要となるといった欠点がある。本発明は、少しのハード資源の追加だけで、スループットの低下を招く事のないタンデム型カラー印刷装置を提供する事を目的とする。
【課題を解決するための手段】
【００１１】
本発明のタンデム型カラー印刷装置は、ｎ色の画像形成器の配置に起因するｎ色の転写像間距離を計測する手段と、計測された距離をもとに同時刻に印字すべき最大ｎ色のデータを１ラインずつ順次纏めながら圧縮処理しメモリへ保存するようにしたもので、この構成により、大容量の画像メモリの追加や伸長回路の追加やスループットの低下を避ける事が出来る。
【００１２】
また、ｎ色の画像形成器の配置に起因するｎ色の転写像間距離を計測する手段と、計測された距離をもとに同時刻に印字すべき最大ｎ色のデータを１ラインずつ順次纏め、さらにその１ラインを走査方向にｍ分割し、分割単位でｎ色のデータを纏めなおして圧縮処理しメモリへ保存するようにしたもので、この構成により、大容量の画像メモリの追加や伸長回路の追加やスループットの低下を避ける事が出来る。
【発明の効果】
【００１３】
本発明のタンデム型カラー印刷装置は、データの圧縮段階で画像形成ステーションの位置ずれを吸収する様にｎ色のデータをずらして並べ替えたデータをｎ色分纏めて圧縮する構成なので、その圧縮データを伸長する際は１つの伸長回路で実行する事が出来るうえに、各色１ライン程度のＦＩＦＯメモリがあれば、伸長したデータを大幅に遅延させるような追加の大容量メモリを必要としない、といった効果が得られるものである。
【００１４】
また、さらに走査方向をｍ分割しデータを並び替えて圧縮する事により、伸長時に必要なＦＩＦＯメモリの容量をさらに少なくする事が出来る。
【発明を実施するための最良の形態】
【００１５】
本発明の請求項１に記載の発明は、印刷すべきｎ（ｎ＝２、３、４・・・）色のラスタデータに対して圧縮処理を行い、圧縮データをメモリへ格納した後に、前記圧縮データを前記メモリから読み出して伸長処理を行い、印刷エンジン部にビデオ信号を出力するタンデム型カラー印刷装置であって、ｎ色の画像形成器の配置に起因するｎ色の転写像間距離を計測する手段と、計測された距離をもとに同時刻に印字すべき最大ｎ色のデータを１ラインずつ順次纏めながら前記圧縮処理を行うようにしたもので、これにより、タンデム型カラー印刷装置のデータ伸長部を、処理速度を損なうことなく安価に構成できるという作用を有するものである。
【００１６】
又、請求項２に記載の発明は、印刷すべきｎ（ｎ＝２、３、４・・・）色のラスタデータに対して圧縮処理を行い、圧縮データをメモリへ格納した後に、前記圧縮データを前記メモリから読み出して伸長処理を行い、印刷エンジン部にビデオ信号を出力するタンデム型カラー印刷装置であって、ｎ色の画像形成器の配置に起因するｎ色の転写像間距離を計測する手段と、計測された距離をもとに同時刻に印字すべき最大ｎ色のデータを１ラインずつ順次纏め、さらにその１ラインを走査方向にｍ（ｍ＝２，３，４・・・）分割し、分割単位でｎ色のデータを纏めなおして圧縮を行うようにしたもので、これにより、タンデム型カラー印刷装置のデータ伸長部を、処理速度を損なうことなくさらに安価に構成できるという作用を有するものである。
【実施例１】
【００１７】
本発明のタンデム型カラー印刷装置について説明する。タンデム型カラー印刷装置のコントローラ部１００におけるデータ処理は、図１に示す通り、受信部１０１、インタプリタ部１０２、ラスタライズ部１０３、圧縮部１０４、メモリ１０５、伸長部１０６で行なわれるが、その処理の内容については従来例の説明と同様であるので省略する。この処理の流れに基づき構成例を図２に示す。図２において、５０はインターフェース、５１はＣＰＵ、５２はメモリ、５３は圧縮器、５４は伸長器、５５はＦＩＦＯメモリである。先の図１で示したデータ処理にあてはめると、ＣＰＵ５１が全体のデータ制御とインタプリタ動作、およびラスタライザ動作を実行し、それ以外のインターフェース部や圧縮部や伸長部は専用のハードウエアで構成しているが、本発明はタンデム型カラー印刷装置の、特にデータ圧縮や伸長に関わる部分に関するものであるので、ラスタライズの一部を専用ハード化したとしても構わない。
【００１８】
次に、タンデム型カラー印刷装置のエンジン部を図３に示す。図３において、１ａ〜１ｄは画像形成ステーション、２ａ〜２ｄは感光体、３ａ〜３ｄは帯電器、４ａ〜４ｄは現像器、５ａ〜５ｄはクリーニング器、６ａ〜６ｄは露光器、８ａ〜８ｄは転写器、９ａ〜９ｄは露光光線、１０，１１は支持ローラ、１２は像担持体としての中間転写ベルト、１３ａ〜１３ｄはラスタデータ受信部、１６は給紙カセット、１７はシート材、１８は給紙ローラ、１９はシート材転写ローラ、２０は定着器、７０は転写像間距離を計測するセンサである。従来例でも説明したが、エンジン部は、複数の画像形成ステーションを有するタンデム方式のエンジンであり印刷の高速化に有利な構成である。
【００１９】
上述のタンデム型カラー印刷装置のエンジン部は、従来例にて既に説明の通り、図１１のようなＣ，Ｍ，Ｙ，Ｋの転写位置の差ｄ１、ｄ２、ｄ３が存在するために、図１２で示すように印刷タイミングをブラック、シアン、マゼンタ、イエローの順番にずらして画像形成する。
【００２０】
ここで、図４に示すように印刷準備段階（パワーオン時など）にＣ，Ｍ，Ｙ，Ｋトナーの転写間の距離を計測する為にパタン像（直線など）を転写体１２へ転写し、転写像間距離を計測するセンサ７０により距離ｄ１、ｄ２、ｄ３を測定した後、図５に示すように、Ｃ，Ｍ，Ｙ，Ｋの圧縮前データを距離ｄ１、ｄ２、ｄ３だけずらし、同時刻に印刷するデータをライン単位で纏めて圧縮するようにする。たとえば、印刷の先頭となるＢａｎｄ（１）の区間については、ブラックデータしかないのでブラックデータを印刷順に従い圧縮をしていくが、Ｂａｎｄ（２）内では、ブラックの第１ラインの次にシアンの第１ライン、その次にブラックの第２ライン，シアンの第２ライン・・・というようにライン単位でデータを纏めなおした後のデータを順次圧縮する。さらに、Ｂａｎｄ（３）ではブラックの第１ライン，シアンの第１ライン、マゼンタの第１ライン、ブラックの第２ライン、シアンの第２ライン、マゼンタの第２ライン・・・、Ｂａｎｄ（４）ではブラックの第１ライン，シアンの第１ライン、マゼンタの第１ライン、イエローの第１ライン、ブラックの第２ライン、シアンの第２ライン、マゼンタの第２ライン、イエローの第２ライン・・・というようにデータをライン単位で纏めなおしたデータを圧縮する。
【００２１】
この図５に示すような方法で圧縮データを作ると、図６に示すように一つの伸長回路５４と、４つのＦＩＦＯ５５にてデータの伸長とエンジン部への出力動作を行う事が出来る。つまり、図６では、丁度Ｂａｎｄ（４）の先頭から圧縮データの伸長動作とエンジン部への出力動作を行うところを示しているのだが、圧縮した順番どおりにブラックの第１ライン，シアンの第１ライン、マゼンタの第１ライン、イエローの第１ライン、ブラックの第２ライン、シアンの第２ライン、マゼンタの第２ライン、イエローの第２ライン・・・の順でデータ伸長する事になるので、伸長速度をバッファリング出来る程度のＦＩＦＯがあれば４色同時に伸長データを出力する事が出来る。
【００２２】
なお、説明の便宜上１ページのデータをＢａｎｄ（１）〜（７）に分けたが、上述説明の通り、転写位置の差ｄ１、ｄ２、ｄ３を考慮した並びで圧縮データが生成されていれば、バンドに分ける必要は無いし、また、逆にどこでバンドに区切っても良い。
【００２３】
また、本実施例においては、転写位置の差ｄ１、ｄ２、ｄ３をセンサ７０で実測する構成としているが、この距離の測定の仕方は特に限定するものではなく、例えば装置組立て時に距離測定の専用装置にて測定した値を不揮発性のメモリ等に書き込む事により記憶させておく方法でも構わない。
【実施例２】
【００２４】
次にタンデム型カラー印刷装置について別の実施例について説明する。
【００２５】
実施例２におけるタンデム型カラー印刷装置の構成および動作については図６に示すものと同じであるので割愛する。また、転写位置の差ｄ１、ｄ２、ｄ３の測定の方法についても実施例１と同じであるので、違いについてだけ説明をする。
【００２６】
図７に示すのは、実施例２におけるデータの圧縮方法について示す図である。図７のように、Ｃ，Ｍ，Ｙ，Ｋの圧縮前データを距離ｄ１、ｄ２、ｄ３だけずらし、同時刻に印刷するデータをライン単位で揃え、さらに走査ラインをｍ（ｍ＝２，３，４・・・；図７はｍ＝２の場合を示す）分割した単位で圧縮するようにする。たとえば、印刷の先頭となるＢａｎｄ（１）の区間については、ブラックデータしかないのでブラックデータを印刷順に従い圧縮をしていくが、Ｂａｎｄ（２）内では、ブラックの第１ライン前半部の次にシアンの第１ライン前半部、その次にブラックの第１ライン後半部、シアンの第１ライン後半部、ブラックの第２ライン前半部、シアンの第２ライン前半部・・・というように１ラインを走査方向に分割した単位でデータを纏めなおした後にデータを順次圧縮する。さらに、Ｂａｎｄ（３）ではブラックの第１ライン前半部，シアンの第１ライン前半部、マゼンタの第１ライン前半部、ブラックの第１ライン後半部、シアンの第２ライン後半部、マゼンタの第２ライン後半部、ブラックの第２ライン前半部，シアンの第２ライン前半部、マゼンタの第２ライン前半部・・・、さらにＢａｎｄ（４）ではブラックの第１ライン前半部、シアンの第１ライン前半部、マゼンタの第１ライン前半部、イエローの第１ライン前半部、ブラックの第１ライン後半部、シアンの第１ライン後半部、マゼンタの第１ライン後半部、イエローの第１ライン後半部、ブラックの第２ライン前半部、シアンの第２ライン前半部、マゼンタの第２ライン前半部、イエローの第２ライン前半部・・・というように１ラインを走査方向に分割した単位でデータを纏めなおした後にデータを順次圧縮する。
【００２７】
この図７に示すような方法でデータを作ると、図６に示すように一つの伸長回路５４と、４つのＦＩＦＯ５５にてデータの伸長とエンジン部への出力動作を行う事が出来る。つまり、図６では、丁度Ｂａｎｄ（４）の先頭から圧縮データの伸長動作とエンジン部への出力動作を行うところを示しているのだが、圧縮した順番どおりにブラックの第１ライン前半部、シアンの第１ライン前半部、マゼンタの第１ライン前半部、イエローの第１ライン前半部、ブラックの第１ライン後半部、シアンの第１ライン後半部、マゼンタの第１ライン後半部、イエローの第１ライン後半部、ブラックの第２ライン前半部、シアンの第２ライン前半部、マゼンタの第２ライン前半部、イエローの第２ライン前半部・・・の順でデータ伸長する事になるので、伸長速度をバッファリング出来る程度のＦＩＦＯがあれば４色同時に伸長データを出力する事が出来る。
【００２８】
ここで、実施例１の図５に示す圧縮データに対する構成に比較すると、走査方向を２分割した分、図６に示すＦＩＦＯ５５の容量を１／２に削減する事ができる利点がある。
【産業上の利用可能性】
【００２９】
本発明は、タンデム型カラー印刷装置のカラー画像データ圧縮について、ｎ色の画像形成器の配置に起因するｎ色の転写像間距離を計測する手段と、計測された距離をもとに同時刻に印字すべき最大ｎ色のデータを１ラインずつ順次纏めながら前記圧縮処理を行う構成としたもので、その圧縮データの伸長処理回路の処理速度を低下させることなく安価に構成できる効果を奏し、タンデム型カラーページプリンタやタンデム型カラー複写機およびカラーマルチファンクションなどの用途にも適用できるものである。
【図面の簡単な説明】
【００３０】
【図１】本発明の実施例におけるコントローラ処理ブロック図
【図２】本発明の実施例におけるコントローラ部の構成図
【図３】本発明の実施例におけるエンジン部の構成図
【図４】本発明の実施例における転写位置の差の測定方法を示す図
【図５】本発明の実施例１における圧縮データの作成方法を示す図
【図６】本発明の実施例におけるタンデム型カラー印刷装置の構成図
【図７】本発明の実施例２における圧縮データの作成方法を示す図
【図８】タンデム型カラー印刷装置の外部接続を示す図
【図９】従来例におけるコントローラ部の構成図
【図１０】従来例におけるエンジン部の構成図
【図１１】タンデム型カラー印刷装置の転写位置の差を示す図
【図１２】タンデム型カラー印刷装置の印刷状態を示す図
【図１３】従来例におけるタンデム型カラー印刷装置のコントローラ部構成図
【図１４】従来例におけるタンデム型カラー印刷装置のコントローラ部構成図
【図１５】従来例におけるタンデム型カラー印刷装置のコントローラ部構成図
【図１６】従来例におけるタンデム型カラー印刷装置の構成図
【符号の説明】
【００３１】
１ａ〜１ｄ    画像形成ステーション
２ａ〜２ｄ    感光体
３ａ〜３ｄ    帯電器
４ａ〜４ｄ    現像器
５ａ〜５ｄ    クリーニング器
６ａ〜６ｄ    露光器
８ａ〜８ｄ    転写器
９ａ〜９ｄ    露光光線
１０，１１    支持ローラ
１２    中間転写ベルト
１３ａ〜１３ｄ    ラスタデータ受信部
１６    給紙カセット
１７    シート材
１８    給紙ローラ
１９    シート材転写ローラ
２０    定着器
５０    インターフェース
５１    ＣＰＵ
５２    メモリ
５３    圧縮器
５４    伸長器
５５    ＦＩＦＯ
５６    伸長データ保持メモリ
７０    転写像間距離計測用センサ
１００    タンデム型カラー印刷装置のコントローラ部
１０１    受信部
１０２    インタプリタ部
１０３    ラスタライズ部
１０４    圧縮部
１０５    メモリ
１０６    伸長部
１０７    データ送信部
【図１】
2007036340.tif 000003
【図２】
2007036340.tif 000004
【図３】
2007036340.tif 000005
【図４】
2007036340.tif 000006
【図５】
2007036340.tif 000007
【図６】
2007036340.tif 000008
【図７】
2007036340.tif 000009
【図８】
2007036340.tif 000010
【図９】
2007036340.tif 000011
【図１０】
2007036340.tif 000012
【図１１】
2007036340.tif 000013
【図１２】
2007036340.tif 000014
【図１３】
2007036340.tif 000015
【図１４】
2007036340.tif 000016
【図１５】
2007036340.tif 000017
【図１６】
2007036340.tif 000018